(57)【要約】      （修正有）【課題】取り扱い性が良好で、必要な容積を確保できる新規な容器構造、及び前記容器構造を用いた新規な薬液封入容器を提供する。【解決手段】容器本体２から蓋体３を剥がした際に、前記蓋体３に付随して前記容器本体２内に内包された吸収体４が取り出せるように、前記吸収体４を前記蓋体３の内面に固定された状態となされた容器構造１とする。【選択図】図１
2020039814.tif 000002
【特許請求の範囲】
【請求項１】
容器本体と、
前記容器本体の開口部を塞ぐシート状の蓋体と、
前記容器本体内に内包された吸収体と、
を具備してなる容器構造であって、
前記蓋体が前記容器本体の開口部周縁に設けられたフランジ部に対して熱融着されてなり、
前記容器本体から前記蓋体を剥がした際、前記蓋体に付随して前記吸収体が取り出せるように、
前記吸収体が前記蓋体の内面に固定されてなることを特徴とする容器構造。
【請求項２】
請求項１に記載の容器構造において、
前記容器本体の容積に対し、前記吸収体の体積が５０％以上となされた容器構造。
【請求項３】
請求項１又は２に記載の容器構造を用いた薬液封入容器であって、
前記容器本体内に薬液が封入されてなり、
薬液の一部が前記吸収体に吸収されてなることを特徴とする薬液封入容器。
【請求項４】
請求項３に記載の薬液封入容器において、
前記吸収体の吸収量の３０重量％以上が前記容器本体内に封入されてなる薬液封入容器。
【発明の詳細な説明】
【技術分野】
【０００１】
本発明は、吸収体が内包された容器構造、及び前記容器構造を用いた薬液封入容器に関する。
【背景技術】
【０００２】
一般に、化粧水等の液状又はクリーム状の化粧料は、瓶などの容器に封入された状態で流通や保存に供される。そして、この種の容器入りの化粧料は、使用時に蓋を開けて適量を手やコットンなどの吸収体に取り、皮膚表面に塗布する使用形態が採られている。
【０００３】
ところが、化粧料には酸化し易い成分を含むものも多く、このような成分を含む化粧料は、蓋の開放によって外気と接触する度に品質が劣化することになる。
【０００４】
この点に鑑み、顔を形どった不織布などの支持体に化粧料を含浸させたパックを一枚ずつ袋材に封入し、使用時に袋材を開封して取り出すといった使い捨てを前提とする使用形態となされた化粧品（個装パック用マスク）が販売されている。
【０００５】
又、化粧料を保持させた含浸体を密封袋の内面に接着させた形態の化粧品（袋詰め化粧料）も開発されている（例えば、下記特許文献１参照。）。この袋詰め化粧料は、使用時に密封袋の三方を開封して、前記密封袋の内面に接着されている含浸体を剥き出しにし、前記密封袋をつまんだり、指に巻き付けたりして、前記含浸体に保持されている化粧料を皮膚表面に塗布する使用形態となされたものである。
【先行技術文献】
【特許文献】
【０００６】
【特許文献１】特開平９‐１００３３号公報
【発明の概要】
【発明が解決しようとする課題】
【０００７】
しかしながら、一般に販売されている個装パック用マスクは、支持体に腰が無く、袋材から取り出した際に、支持体に皺がよったり、折り重なりが生じたりする。そのため、充分に展開した状態で顔面に貼付することが難しいものであった。
【０００８】
一方、特許文献１に開示された袋詰め化粧料は、その構造上密封袋の内容積が小さくなり、一回の使用に必要な化粧料を必ずしも十分に充填できるものではなかった。
【０００９】
本発明は前記技術的課題に鑑みて開発されたものであり、取り扱い性が良好で、必要な容積を確保できる新規な容器構造、及び前記容器構造を用いた新規な薬液封入容器を提供することを目的とする。
【課題を解決するための手段】
【００１０】
前記技術的課題を解決するための本発明の容器構造は、容器本体と、前記容器本体の開口部を塞ぐシート状の蓋体と、前記容器本体内に内包された吸収体と、を具備してなる容器構造であって、前記蓋体が前記容器本体の開口部周縁に設けられたフランジ部に対して熱融着されてなり、前記容器本体から前記蓋体を剥がした際、前記蓋体に付随して前記吸収体が取り出せるように、前記吸収体が前記蓋体の内面に固定されてなることを特徴とする（以下、「本発明容器構造」と称する。）。
【００１１】
前記本発明容器構造においては、前記容器本体の容積に対し、前記吸収体の体積が５０％以上となされたものが好ましい態様となる。
【００１２】
前記技術的課題を解決するための本発明の薬液封入容器は、前記本発明容器構造を用いた薬液封入容器であって、前記容器本体内に薬液が封入されてなり、薬液の一部が前記吸収体に吸収されてなることを特徴とする（以下、「本発明薬液封入容器」と称する。）。
【００１３】
前記本発明薬液封入容器においては、前記吸収体の吸収量の３０重量％以上が前記容器本体内に封入されてなるものが好ましい態様となる。
【発明の効果】
【００１４】
本発明容器構造及び本発明薬液封入容器は、取り扱い性が良好であり、又、必要な容積を確保することができる。
【図面の簡単な説明】
【００１５】
【図１】図１は、本発明容器構造の一態様を示す分解斜視図である。
【図２】図２は、前記本発明容器構造を用いた本発明薬液封入容器を示す断面図である。
【図３】図３は、前記本発明薬液封入容器を開封した様子を示す断面図である。
【図４】図４は、前記本発明薬液封入容器の使用態様を示す斜視図である。
【発明を実施するための形態】
【００１６】
以下、本発明の実施形態を説明するが、本発明はこれらの実施形態に限定されるものではない。
【００１７】
＜本発明容器構造１＞
図１に、本発明容器構造１の一実施形態を示す。前記本発明容器構造１は、「容器本体（２）」と、「蓋体（３）」と、「吸収体（４）」と、を具備する。
【００１８】
‐容器本体２‐
前記容器本体２は、一定の容積を有するカップ部２１と、前記カップ部２１の開口部周縁に設けられたフランジ部２２と、を具備する。本実施形態においては、前記容器本体２として、ポリプロピレン系樹脂の真空成形体を用いた。
【００１９】
‐蓋体３‐
前記蓋体３は、前記容器本体２の開口部を塞ぐ役割を担う。前記蓋体３はシート状となされ、前記容器本体２の開口部周縁に設けられたフランジ部２２に対して熱融着される。本実施形態においては、前記蓋体３として、前記フランジ部２２の外縁形状にカットされた金属（アルミニウム）積層フィルムを用い、熱蒸着層を内面として、前記フランジ部２２に熱融着した。なお、本実施形態においては、前記蓋体３を前記フランジ部２２における図中斜線で示す部分に対して熱融着した。即ち、前記蓋体３の外縁には、前記フランジ部２２に対し熱融着されていない部分があり、この部分が前記蓋体３を剥がす際の「ツマミ」として利用できる仕組みとなされている。
【００２０】
‐吸収体４‐
前記吸収体４は、前記容器本体２内に内包された状態となされる。前記吸収体４は、前記容器本体２から前記蓋体３を剥がした際、前記蓋体３に付随して取り出せるように、前記蓋体３の内面に固定される。本実施形態においては、前記吸収体４として不織布をロール状に巻き取ったものを用い、その一端面を前記蓋体３の内面中央部に対し接着することによって固定した。なお、前記吸収体４の体積は、前記容器本体２の容積の１００％以上となされており、前記吸収体４は、前記容器本体２内に押し込まれることによって変形し、前記容器本体２内の空間のほとんどを占めた状態で内包される。
【００２１】
＜本発明薬液封入容器１０＞
図２に、前記本発明容器構造１を用いた本発明薬液封入容器１０を示す。前記本発明薬液封入容器１０は、前記容器本体２内に薬液５が封入されてなり、薬液５の一部が前記吸収体４に吸収されてなるものである。本実施形態においては、前記薬液５として化粧水を用い、前記吸収体４の吸収量（吸収限界量）の約８０％を前記容器本体２内に充填した。
【００２２】
図３に示すように、前記本発明容器構造１を使用するにあたっては、まず、前記容器本体２から前記蓋体３を剥がす。前記蓋体３の内面には前記吸収体４が固定されているため、前記吸収体４は前記蓋体３に付随して取り出される。この際、前記吸収体４は、薬液５としての化粧水が含浸された状態となっている。
【００２３】
そして、図４に示すように、前記容器本体２から剥がした前記蓋体３をつまんで、前記蓋体３に固定された前記吸収体４にて皮膚表面をなぞれば、前記吸収体４に含浸されている薬液５を皮膚表面に施用することができる。
【００２４】
このようにして使用される前記本発明薬液封入容器１０は、取り扱い性に優れ、前記容器本体２から前記蓋体３を剥がす作業のみで、薬液５を使用に供することができる。
【００２５】
又、前記容器本体２の容積を、薬液５の一回使用量に応じて設計することができるため、前記本発明薬液封入容器１０につき使い捨てを前提とした使用形態とすることができる。これより、薬液５が外気に触れる機会を使用時のみに限定することができ、薬液５の劣化を極力抑えることができる。
【００２６】
ところで、本実施形態においては、前記容器本体２としてポリプロピレン系樹脂の真空成形体を用いたが、前記容器本体２の材質や成形手段は特に限定されない。但し、前記本発明容器構造（本発明薬液封入容器１０）１は、使い捨てを前提としているため、前記容器本体２は廉価な合成樹脂にて成形することが好ましい。又、前記容器本体２の容積は、１〜２００ｃｍ３とすることが好ましい。
【００２７】
本実施形態においては、前記蓋体３として金属蒸着フィルムを用いたが、前記蓋体３は前記容器本体２を密封状態で閉じることができるものであれば特に限定されない。前記蓋体３の素材の例としては、合成樹脂フィルムや金属フィルム等を挙げることができる。
【００２８】
本実施形態においては、前記吸収体４として不織布を用いたが、前記吸収体４は液状又はクリーム状の薬液５を含浸し得る性質をもつものであれば特に限定されない。前記吸収体４の素材の例としては、布、スポンジ、吸水性高分子等を挙げることができる。又、前記吸収体４の体積は、前記容器本体２の容積の５０％以上（より好ましくは７０％以上）とすることが好ましい。
【００２９】
本実施形態においては、前記吸収体４を前記蓋体３に固定するにあたり、接着手段を用いているが、前記蓋体３に対する前記吸収体４の固定手段は特に限定されない。前記蓋体３に対する前記吸収体４の固定手段の例としては、熱融着や粘着等の手段を用いることができる。
【００３０】
本実施形態においては、薬液５として化粧水を用いたが、薬液５は、常温下、液状又はクリーム状の形態を有するものであれば特に限定されず、化粧料以外のものであっても良い。薬液５の例としては、医薬品薬剤、香料、食品、洗浄剤、コーティング剤、研磨剤、漂白剤、染み抜き剤、接着剤、剥離剤などが挙げられる。又、前記容器本体２に対する薬液５の充填量は、前記吸収体４の吸収量の３０重量％以上とすることが好ましい。
【００３１】
なお、本発明は、その精神又は主要な特徴から逸脱することなく、他のいろいろな形態で実施することができる。そのため、上述の実施例はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００３２】
本発明は、例えば、化粧品の容器として好適に用いられる。
【符号の説明】
【００３３】
１  本発明容器構造（容器構造）
２  容器本体
２１  カップ部
２２  フランジ部
３  蓋体
４  吸収体
５  薬液
１０  本発明薬液封入容器（薬液封入容器）
【図１】
2020039814.tif 000003
【図２】
2020039814.tif 000004
【図３】
2020039814.tif 000005
【図４】
2020039814.tif 000006